(57)【特許請求の範囲】
【請求項１】
電子機器を構成する各種電子部品が収納されるケース本体と、
該ケース本体の背面に設けられ、該ケース本体を支柱に取り付ける際に当該支柱に当接される係合溝が形成された取付座と、
前記係合溝が上下方向にあるとき、前記取付座を左右方向に貫通するように形成され、上下方向を長手方向とする長孔状の挿通孔と、
２本のねじ部と当該２本のねじ部を接続する接続部とによりコの字状に形成され、前記接続部が前記挿通孔内に配置されるよう、前記挿通孔に挿通されるボルト部材と、
前記支柱に当接可能な押さえ側当接部及び当該押さえ側当接部の両側に形成されて前記ボルト部材の２本のねじ部を挿通可能な挿通部を有する押さえ部材と、
前記押さえ部材の挿通部に前記ボルト部材の２本のねじ部を挿通した状態で前記ねじ部に螺合可能な２つのナットと、
を備え、
前記挿通孔において、前記ケース本体とは反対側の内壁面の上方位置には、当該挿通孔に挿通される支柱取付用のベルト部材と面接触するよう、前記ケース本体側に湾曲して形成されたベルト係合部が備えられ、
前記取付座には、前記挿通孔内の前記ベルト係合部よりも下方の位置にて、前記ボルト部材のねじ部の方向を、前記ケース本体の背面と直交する第１方向と前記ケース本体の背面と平行となる第２方向との間で変位可能に、前記ボルト部材を支持するボルト支持部が備えられ、
しかも、前記押さえ部材には、前記ボルト部材のねじ部の方向が前記第２方向となって、前記押さえ部材が前記ケース本体側に配置されているとき、当該押さえ部材が前記支柱に当接されて、前記係合溝の前記支柱への当接の邪魔になることのないよう、切り欠きが形成されていることを特徴とする電子機器ケース。
【請求項２】
前記ケース本体は樹脂製であり、前記取付座は、前記ケース本体と同様の樹脂材料にて前記ケース本体と一体に成型されていることを特徴とする請求項１に記載の電子機器ケース。
【請求項３】
請求項１又は請求項２に記載の電子機器ケースと、特定の機能を有する各種電子部品と、からなり、前記各種電子部品は、前記電子機器ケースのケース本体に収納されたことを特徴とする電子機器。
【発明の詳細な説明】
【技術分野】
【０００１】
本発明は、アンテナのマスト等の支柱にベルト部材により取付可能な電子機器ケース及び、この電子機器ケースを用いた電子機器に関する。
【背景技術】
【０００２】
従来より、アンテナから受信した電波を増幅するための増幅器、電波を分配するための分配器等の電子機器が知られている。そして、このような電子機器は、アンテナのマスト等の支柱に取付可能に構成された電子機器ケースに収納されており、このケースを介して所定の場所に取り付けられる。
【０００３】
このような電子機器ケースとしては、例えば、電子機器を構成する各種電子部品を収納するためのケース本体の背面に取付座が突設されており、この取付座にステンレスバンド等のベルト部材を挿通可能な縦スリットが設けられたものが提案されている。そして、この縦スリットにベルト部材を挿通させて、支柱の周囲に巻き付けることにより電子機器が支柱に取り付けられる（例えば、特許文献１等参照）。
【特許文献１】特許第３３９９６３３号公報
【発明の開示】
【発明が解決しようとする課題】
【０００４】
しかしながら、上記のような電子機器ケースを支柱に固定する場合には、支柱に巻き付けるベルト部材は強度面からステンレス等の金属製であることが好ましいが、例えば、取付座が樹脂材料で成型されているような場合には、ベルト部材が取付座の縦スリットに挿通された際に、ベルト部材が縦スリットの端縁で局所的に取付座に接触するので、この部分に負荷が集中し、取付座が破損してしまう可能性があった。
【０００５】
本発明は、こうした問題に鑑みなされたもので、ベルト部材により支柱に取付可能な電子機器ケース及びこのケースを用いた電子機器において、電子機器ケースの材質に関わらず、電子機器ケースが破損することを防止できるようにすることを目的とする。
【課題を解決するための手段】
【０００６】
かかる目的を達成するためになされた請求項１に記載の電子機器ケースは、
電子機器を構成する各種電子部品が収納されるケース本体と、
該ケース本体の背面に設けられ、該ケース本体を支柱に取り付ける際に当該支柱に当接される係合溝が形成された取付座と、
前記係合溝が上下方向にあるとき、前記取付座を左右方向に貫通するように形成され、上下方向を長手方向とする長孔状の挿通孔と、
２本のねじ部と当該２本のねじ部を接続する接続部とによりコの字状に形成され、前記接続部が前記挿通孔内に配置されるよう、前記挿通孔に挿通されるボルト部材と、
前記支柱に当接可能な押さえ側当接部及び当該押さえ側当接部の両側に形成されて前記ボルト部材の２本のねじ部を挿通可能な挿通部を有する押さえ部材と、
前記押さえ部材の挿通部に前記ボルト部材の２本のねじ部を挿通した状態で前記ねじ部に螺合可能な２つのナットと、
を備え、
前記挿通孔において、前記ケース本体とは反対側の内壁面の上方位置には、当該挿通孔に挿通される支柱取付用のベルト部材と面接触するよう、前記ケース本体側に湾曲して形成されたベルト係合部が備えられ、
前記取付座には、前記挿通孔内の前記ベルト係合部よりも下方の位置にて、前記ボルト部材のねじ部の方向を、前記ケース本体の背面と直交する第１方向と前記ケース本体の背面と平行となる第２方向との間で変位可能に、前記ボルト部材を支持するボルト支持部が備えられ、
しかも、前記押さえ部材には、前記ボルト部材のねじ部の方向が前記第２方向となって、前記押さえ部材が前記ケース本体側に配置されているとき、当該押さえ部材が前記支柱に当接されて、前記係合溝の前記支柱への当接の邪魔になることのないよう、切り欠きが形成されていることを特徴とする。
【０００７】
また、請求項２に記載の発明は、請求項１に記載の電子機器ケースにおいて、前記ケース本体は樹脂製であり、前記取付座は、前記ケース本体と同様の樹脂材料にて前記ケース本体と一体に成型されていることを特徴とする。
【００１１】
次に、請求項３に記載の発明は、請求項１又は請求項２に記載の電子機器ケースと、特定の機能を有する各種電子部品と、から構成される電子機器であり、前記各種電子部品は、前記電子機器ケースのケース本体に収納されたことを特徴とする。
【発明の効果】
【００１２】
請求項１に記載の電子機器ケースにおいては、電子機器を構成する各種電子部品を収納するためのケース本体を備え、このケース本体の背面には、ケース本体を支柱に取り付ける際に当該支柱に当接される係合溝が形成された取付座が設けられている。
また、この取付座には、係合溝が上下方向にあるとき、取付座を左右方向に貫通するように、上下方向を長手方向とする長孔状の挿通孔が形成されており、この挿通孔において、ケース本体とは反対側の内壁面の上方位置には、当該挿通孔に挿通される支柱取付用のベルト部材と面接触するよう、ケース本体側に湾曲して形成されたベルト係合部が備えられている。
【００１３】
従って、請求項１に記載の電子機器ケースによれば、例えば、ステンレスバンド等のベルト部材を介して、電子機器ケースを支柱に取り付ける際には、ベルト部材を、取付座の挿通孔に挿通して、ベルト係合部に係合させればよい。つまり、このようにすれば、ベルト部材と、ベルト係合部と、が面で接触するので、ベルト部材によりベルト係合部にかけられる荷重が分散され、ベルト係合部、つまり、電子機器ケースが破損することを防止できる。
【００１４】
また、本発明の電子機器ケースによれば、ベルト部材を挿通孔に挿通させることにより、ベルト部材がベルト係合部から外れるのを防止できる。よって、ベルト部材をケース本体に確実に取り付けることができる。
【００１５】
また、本発明の電子機器ケースには、コの字状に形成されたボルト部材と、ボルト部材の２本のねじ部を挿通可能な挿通部を有する押さえ部材と、押さえ部材の挿通部にボルト部材の２本のねじ部を挿通した状態でねじ部に螺合可能な２つのナットとが備えられている。
そして、取付座には、挿通孔内のベルト係合部よりも下方の位置にて、ボルト部材のねじ部の方向を第１方向と第２方向との間で変位できるようにボルト部材を支持するボルト支持部が備えられている。
このため、本発明の電子機器ケースによれば、ボルト部材のねじ部の方向を、ケース本体の背面と直交する第１方向に保持した状態で、取付座の係合溝と、押さえ部材の押さえ側当接部との間に支柱を配置し、ボルト部材の２本のねじ部にナットを螺合させることにより、ボルト部材にて、ケース本体を支柱に取り付けることができるようになる。
【００１８】
また、押さえ部材には、ボルト部材のねじ部の方向が第２方向となって、押さえ部材がケース本体側に配置されているとき、当該押さえ部材が前記支柱に当接されて、係合溝の支柱への当接の邪魔になることのないよう、切り欠きが形成されているので、ボルト部材を第２方向に向けることで、取付座の係合溝を支柱に当接させることができる。
よって、本発明の電子機器ケースによれば、ボルト部材をボルト支持部から外すことなく、ケース本体をベルト部材で支柱に取り付けることができ、支柱がボルト部材の内径よりも細い場合には、ボルト部材を第１方向に向けることで、ベルト部材の代わりに、ボルト部材、押さえ部材及びナットを用いて、ケース本体を支柱に取り付けることができる。
【００１９】
なお、本発明の電子機器ケースは、請求項２に記載のように、ケース本体と取付座とを、樹脂材料にて一体に成型するとよい。
また、本発明の電子機器ケースには、ケース本体を構造物に直接ねじ結合するためのねじ部品を挿通可能なねじ結合部を設けてもよい。
【００２０】
そして、このようにすれば、ねじ結合部に木ねじ等のねじ部品を挿通することで、支柱だけでなく、直接構造物にケース本体を取り付けることができる。
次に請求項３に記載の発明は、上述した請求項１又は請求項２に記載の電子機器ケースと、特定の機能を有する各種電子部品と、からなる電子機器であり、各種電子部品は、電子機器ケースのケース本体に収納されている。そして、この発明の電子機器によれば、支柱に対してベルト部材又はボルト部材で取付可能な電子機器を構成でき、ベルト部材により、電子機器ケースが破損されることも防止できる。
【発明を実施するための最良の形態】
【００２１】
以下に、本発明の実施の形態を図面と共に説明する。
まず、図１（ａ）は、本発明の前提となる参考例のブースタ１の外観を示す三面図、図１（ｂ）は、参考例のベルト係合部２２の詳細形状を示す断面図（図１（ａ）の断面Ａ−Ａ）、図２は、参考例のブースタ１の外観を示す背面側から見た斜視図である。
【００２２】
本参考例のブースタ１は、アンテナにて受信した電波を増幅するためのものであり、支柱や壁等の構造物に取付可能に構成された電子機器ケース２内に、高周波信号を増幅する増幅回路が形成された増幅回路基板等の電子部品３０が収納されている。
【００２３】
電子機器ケース２は、図１及び図２に示すように、本発明のケース本体を構成する筐体４及びカバー６（以下、筐体４とカバー６とを合わせてケース本体ともいう）と、ブースタ１を構造物へ取り付ける際に使用する取付部材として、Ｕボルト１４等からなる取付金具８と、ステンレスバンド１０（図４参照）と、木ねじ等のねじ部品１２と、を備えている。
【００２４】
筐体４は、略直方体の箱形に形成された樹脂製のケースであり、筐体４の側壁のうちの１つ（ブースタ１の構造物への取付時に下方に配置される側壁４ａ）には、内部に収納される基板等に接続された入出力端子３２が挿通される挿通孔４ｂが形成されている。
【００２５】
カバー６は、筐体４の開口面を塞ぐ形状に形成された樹脂製のカバーであり、一端が筐体４の上方に、左右方向を軸として開閉可能に固定されている。一方、他端には、カバー固定ねじ６ａが設けられており、このカバー固定ねじ６ａにて、筐体４と結合可能に構成されている。
【００２６】
そして、筐体４の下方の側壁４ａに形成された挿通孔４ｂから入出力端子３２が筐体４の外部に突出された状態で、筐体４の内部に電子部品３０が固定され、開口面がカバー６にて覆われることにより、電子部品３０が筐体４の内部に収納される。なお、以下、入出力端子３２が突出された側をブースタ１の下方として説明する。
【００２７】
一方、筐体４の背面の中央部には、ブロック状の取付座２０が突出されている。そして、取付座２０の突出された側の端面には、支柱に取り付ける際に支柱５０，５２（図３、図４参照）に当接されるＶ字型の係合溝２０ａが、ブースタ１の上下方向に沿って形成されている。なお、取付座２０は筐体４と同様の樹脂材料にて筐体４と一体に成型されている。
【００２８】
また、取付座２０の左右方向の側面からは、左右に貫通するように、断面が上下方向を長手方向とする長孔状の挿通孔２０ｂが形成されている。この挿通孔２０ｂは、ステンレスバンド１０及びＵボルト１４を挿通可能に形成されており、挿通孔２０ｂの上方側には、ステンレスバンド１０が挿通されるベルト係合部２２が形成され、挿通孔２０ｂの中央部には、Ｕボルト１４が支持されるボルト支持部２４が形成されている。
【００２９】
次に、筐体４に形成されたベルト係合部２２及びボルト支持部２４について説明する。
ベルト係合部２２は、図１（ｂ）に示すように、取付座２０に形成された挿通孔２０ｂの内部において、取付座２０のＶ字型の係合溝２０ａが形成された側（以下、取付面側ともいう）にステンレスバンド１０と略等しい幅で設けられ、筐体４側に湾曲された突起により構成されている。また、取付座２０の左右方向の側面の中央部からは、ステンレスバンド１０が挿通孔２０ｂに挿通された際に、ステンレスバンド１０がベルト係合部２２に当接する位置で支持するための凸部２０ｃが、夫々左右方向に突出されている。
【００３０】
ボルト支持部２４は、挿通孔２０ｂの内部の、筐体４の背面と取付座２０の取付面側の部分とが接続された部分にて構成されている。そして、このボルト支持部２４の上方にＵボルト１４が挿通されてボルト支持部２４に係合されることにより、Ｕボルト１４が支持される。
【００３１】
また、筐体４の背面の下方の左右両端側からは、下方に向けてねじ結合部２６が夫々突出されている。そして、ねじ結合部２６には、木ねじ等のねじ部品１２をカバー６側から挿通可能な挿通孔２６ａが形成されている。なお、ねじ結合部２６も、取付座２０と同様、筐体４と一体に成型されている。
【００３２】
さらに、筐体４の下方の中央部には、取付金具８が筐体４に固定される際に、押さえ部材１６が係合可能な被係合部２８（図２、図３参照）が形成されている。
次に、ブースタ１を構造物へ取り付ける際に使用する取付部材について説明する。
【００３３】
取付金具８は、Ｕボルト１４と、押さえ部材１６と、２つの蝶ナット１８と、から構成されており、Ｕボルト１４の内径より径の小さい細支柱５０（例えば、アンテナマスト）への取り付けに使用される。
【００３４】
Ｕボルト１４は、端部にそれぞれねじが形成された平行な一対のねじ部１４ａと、一対のねじ部１４ａを接続する接続部１４ｂと、からコの字状に形成されている。
押さえ部材１６は、断面が略コの字型に形成された長尺状の板金部品であり、長手方向の中央部はコの字の開口側とは反対側にＶ字型に湾曲されている。そして、Ｖ字型に湾曲された湾曲部１６ｃを挟んで両側には、Ｕボルトのねじ部を挿通可能な挿通孔１６ａまたは切り欠き１６ｂがそれぞれ形成されている。
【００３５】
なお、取付金具８は、通常筐体４に固定されており、取付金具８を筐体４に固定する際には、まず、挿通孔２０ｂの中央部にＵボルト１４を挿通させ、Ｕボルト１４の接続部１４ｂをボルト支持部２４に上方から係合させた状態で、一対のねじ部１４ａのうちの一方を、コの字に形成された押さえ部材１６の開口側から挿通孔１６ａに挿通させ、他方のねじ部１４ａを切り欠き１６ｂに係合させる。
【００３６】
次に、Ｕボルト１４の一対のねじ部１４ａを筐体４の背面に沿うように下方向に向けて、コの字状に形成された押さえ部材１６の平行な一対の壁部１６ｄを、筐体４の下方に形成された被係合部２８に係合させる。そして、この状態で、ねじ部１４ａの両端部にそれぞれ蝶ナット１８を螺合させることにより、取付金具８が筐体４に固定される。なお、取付金具８が筐体４に固定された際には、図１に示すように、押さえ部材１６がねじ結合部２６の取付面側の端面から取付面側にはみ出さない位置に固定されている。
【００３７】
ステンレスバンド１０は、図４に示すように、所定の幅（例えば、１０ミリ）のステンレス製のベルトであり、Ｕボルト１４の内径よりも径の大きい太支柱５２（例えば、大型アンテナのアンテナマスト、角柱、電柱等）に取り付けられる際に使用される。そして、ステンレスバンド１０の一端には、係止具１０ａが設けられており、太支柱５２に巻き付けた状態で、その端部を係止具１０ａにより係止することで、太支柱５２の太さや形状に応じて適宜長さを調整して太支柱５２に固定できるように構成されている。
【００３８】
なお、図３は、ブースタ１の細支柱５０への取付状態を示す三面図、図４（ａ）は、ブースタ１の太支柱５２への取付状態を示す側面図、図４（ｂ）は、ブースタ１の太支柱５２への取付状態を示す斜視図である。
【００３９】
ねじ部品１２は、図１及び図３に示すように、筐体４の下方に設けられたねじ結合部２６の挿通孔２６ａに対して、カバー６側、つまりブースタ１の前方から挿通されており、抜け落ちないように固定されている。
【００４０】
このように構成されたブースタ１を、壁面に取り付ける際には、ねじ部品１２を挿通孔２６ａからブースタ１の背面側に突出させて、そのまま壁面にねじ込むことにより固定する。
【００４１】
また、ブースタ１をアンテナマスト等の細支柱５０に取り付ける場合には、蝶ナット１８を緩めて押さえ部材１６を、筐体４の被係合部２８から外すと共に、Ｕボルト１４のねじ部１４ａのうちの１つに係合されていた押さえ部材１６の切り欠き１６ｂを、ねじ部１４ａから外す。そして、一対のねじ部１４ａが、筐体４の背面と直交する方向にＵボルト１４を回転させ、細支柱５０を取付座２０のＶ字型の係合溝２０ａに係合させる。
【００４２】
そして、押さえ部材１６を、細支柱５０を挟んで取付座２０と対向するように配置してＶ字型の湾曲部１６ｃを細支柱５０に係合させると共に、押さえ部材１６の切り欠き１６ｂを再びねじ部１４ａに係合させる。さらに、この状態で、蝶ナット１８にて締め付けることにより、細支柱５０が、取付座２０の係合溝２０ａ及び押さえ部材１６により挟持され、図３に示すように、ブースタ１が細支柱５０に固定される。
【００４３】
次に、ブースタ１を大型アンテナ用のアンテナマスト、角柱、電柱等の太支柱５２に取り付ける場合には、まず、取付金具８を筐体４から取り外す。そして、図４に示すように、ステンレスバンド１０の一端を取付部の挿通孔２０ｂに挿通させてベルト係合部２２に当接させた状態で、取付座２０の係合溝２０ａを太支柱５２の所定の位置に当接させてステンレスバンド１０を太支柱５２に巻き付け、その端部を係止具１０ａにて固定する。なお、ブースタ１が太支柱５２に取り付けられた際、ステンレスバンド１０は、取付座２０の左右の凸部２０ｃに上方から係合されており、ステンレスバンド１０が下方にずれることなく確実にベルト係合部２２に当接する。
【００４４】
以上説明したように、本参考例の電子機器ケース２においては、ブースタ１を構成する電子部品３０を収納するための、筐体４及びカバー６からなるケース本体を備え、筐体４の背面には、ケース本体を支柱５０，５２に取り付ける際に、これらに当接される係合溝２０ａが取付座２０に設けられている。また、ケース本体、つまり筐体４の背面と、取付座２０に設けられた係合溝２０ａとの間には、このケース本体を太支柱５２に取り付けるためのステンレスバンド１０が係合可能なベルト係合部２２が設けられており、このベルト係合部２２は、ステンレスバンド１０が面で接触可能に筐体４側に湾曲されている。
【００４５】
従って、本参考例の電子機器ケース２によれば、ステンレスバンド１０をベルト係合部２２に係合させた際に、ステンレスバンド１０と、ベルト係合部２２と、が、図１（ｂ）に示すように面で接触するので、ステンレスバンド１０による荷重が分散され、ステンレスバンド１０が挿通された挿通孔２０ｂの端縁に局所的に負荷がかかることを防止でき、挿通孔２０ｂが形成された取付座２０、ひいては、電子機器ケース２が破損することを防止できる。
【００４６】
ここで、ベルト係合部２２は、ケース本体と、取付座２０の係合溝２０ａとの間において、太支柱５２に取り付けられた際に支柱と直交する方向（つまり、ブースタ１の左右方向）に形成された挿通孔２０ｂ内部に設けられているので、ステンレスバンド１０を挿通孔２０ｂに挿通させることにより、ステンレスバンド１０がベルト係合部２２から外れることがなく、ステンレスバンド１０をケース本体に確実に取り付けることができる。
【００４７】
また、電子機器ケース２は、取付金具８を備えており、取付座２０には、コの字状に形成されたＵボルト１４を支持可能なボルト支持部２４と、Ｕボルト１４がボルト支持部２４に支持された状態で、細支柱５０に当接される係合溝２０ａと、が設けられている。そして、押さえ部材１６と、取付座２０の係合溝２０ａと、で細支柱５０を挟持した状態で蝶ナット１８をねじ部１４ａに螺合させることにより、ケース本体と押さえ部材１６とを締結し、Ｕボルト１４にて、ケース本体を細支柱５０に取り付けることができるようにされている。
【００４８】
よって、例えば支柱がアンテナマストのように細い場合には、ステンレスバンド１０の代わりに、Ｕボルト１４、押さえ部材１６及び蝶ナット１８を用いて、ケース本体を取り付けることができるので、支柱の径に応じて、取付方法を選択できる。
【００４９】
また、筐体４の下方には、壁等の構造物に直接ねじ結合するためのねじ部品を挿通可能なねじ結合部２６が２箇所に設けられているので、ねじ結合部２６の挿通孔２６ａに木ねじ等のねじ部品１２を挿通することで、支柱だけでなく、直接構造物にケース本体を取り付けることができる。
【００５０】
そして、本参考例のブースタ１は、上記のような電子機器ケース２に収納されているので、ケース本体を介して、支柱に対してステンレスバンド１０にて取り付けることができ、しかも、ステンレスバンド１０により、電子機器ケース２が破損されることも防止できる。
【００５１】
なお、本参考例において、ブースタ１は本発明の電子機器に相当し、ステンレスバンド１０は本発明のベルト部材に相当し、Ｕボルト１４は本発明のボルト部材に相当し、湾曲部１６ｃは、本発明の押さえ側当接部に相当し、挿通孔１６ａ及び切り欠き１６ｂは本発明の挿通部に相当し、蝶ナット１８は本発明のナットに相当する。
【００５２】
ここで、上記参考例においては、ブースタ１をステンレスバンド１０にて太支柱５２に取り付ける際には、取付金具８を筐体４から取り外してから取り付けるようにしたが、本発明の実施形態では、上記押さえ部材１６を、図５（ａ）に示すように構成することで、取付金具８を筐体４に固定したままで、ブースタ１を太支柱５２に取り付けることができるようにする。
【００５３】
つまり、本発明が適用される実施形態のブースタ１では、図５（ａ）に示すように、押さえ部材３６において、平行な一対の壁部３６ａの一方の中央部から内側にかけて、取付座２０に形成されたＶ字型の係合溝２０ａの断面と同形状に切り欠き３６ｂを設けることにより、太支柱５２を取付座２０のＶ字型の係合溝２０ａに当接させる際に、切り欠き３６が邪魔にならないように構成される。
【００５４】
よって、実施形態のブースタ１によれば、Ｕボルト１４が、ねじ部１４ａを筐体４の背面と直交する方向、または、筐体４の背面に沿うように下方向に向けた状態で、ボルト支持部２４に支持可能に構成されていると共に、Ｕボルト１４に、押さえ部材３６及び蝶ナット１８を取り付けた状態でＵボルト１４を下方に向けて押さえ部材３６を介して筐体４に固定した際に、取付座２０の係合溝２０ａを支柱に当接可能に、押さえ部材３６に切り欠き３６ｂが設けられているので、取付金具８、つまり、Ｕボルト１４をボルト支持部２４から外すことなく、ケース本体、つまり、ブースタ１を図５（ａ）、図５（ｂ）に示すように、太支柱５２に取り付けることができる。
【００５５】
なお、図５（ｂ）は、実施形態の押さえ部材３６を用いたブースタ１の下面図、図５（ｂ）は、実施形態の押さえ部材３６を用いたブースタ１の太支柱５２への取付状態を示す斜視図である。
【００５６】
また、上記参考例及び実施形態においては、電子機器をブースタ１としたが、例えば、分配器等のブースタ以外の電子機器であってもよい。
【図面の簡単な説明】
【００５９】
【図１】本発明の前提となる参考例のブースタ１の外観を示す三面図である。
【図２】ブースタ１の外観を示す斜視図である。
【図３】ブースタ１の細支柱５０への取付状態を示す外観図である。
【図４】ブースタ１の太支柱５２への取付状態を示す外観図である。
【図５】実施形態のブースタ１及び太支柱５２への取付状態を示す外観図である。
【符号の説明】
【００６０】
１…ブースタ、２…電子機器ケース、４…筐体、４ａ…側壁、４ｂ…挿通孔、６…カバー、６ａ…カバー固定ねじ、８…取付金具、１０…ステンレスバンド、１０ａ…係止具、１２…ねじ部品、１４…Ｕボルト、１４ａ…ねじ部、１４ｂ…接続部、１６…押さえ部材、１６ａ…挿通孔、１６ｂ…切り欠き、１６ｃ…湾曲部、１６ｄ…壁部、１８…蝶ナット、２０…取付座、２０ａ…係合溝、２０ｂ…挿通孔、２０ｃ…凸部、２２…ベルト係合部、２４…ボルト支持部、２６…ねじ結合部、２６ａ…挿通孔、２８…被係合部、３０…電子部品、３２…入出力端子、３６…押さえ部材、３６ａ…壁部、３６ｂ…切り欠き、５０…細支柱、５２…太支柱
【図１】
0004791311.tif 000002
【図２】
0004791311.tif 000003
【図３】
0004791311.tif 000004
【図４】
0004791311.tif 000005
【図５】
0004791311.tif 000006